(57)【要約】【課題】原稿台から押さえ部を離間させる場合に、押さえ部の破損を低減すること。【解決手段】原稿（Ｇｉ）が支持される原稿台（ＰＧ）と、原稿（Ｇｉ）の画像を読み取る読取部材（ＣＣＤ）と、原稿台（ＰＧ）に対向する第１の位置と、原稿台（ＰＧ）から離間した第２の位置と、の間を移動可能な移動部材（３２）と、移動部材（３２）の原稿台（ＰＧ）側に支持され、移動部材（３２）が第１の位置に移動した場合に、原稿（Ｇｉ）に接触して原稿（Ｇｉ）を押さえる押さえ部（４１）と、押さえ部（４１）に形成され、移動部材（３２）が第１の位置から第２の位置に移動する際に、押さえ部（４１）と原稿台（ＰＧ）との間を通気する通気部（４２）と、を備えたことを特徴とする画像の読取装置（Ｕ２＋Ｕ３）。【選択図】図４
2014146911.tif 000002
【特許請求の範囲】
【請求項１】
原稿が支持される原稿台と、
原稿の画像を読み取る読取部材と、
前記原稿台に対向する第１の位置と、前記原稿台から離間した第２の位置と、の間を移動可能な移動部材と、
前記移動部材の前記原稿台側に支持され、前記移動部材が前記第１の位置に移動した場合に、原稿に接触して原稿を押さえる押さえ部と、
前記押さえ部に形成され、前記移動部材が前記第１の位置から前記第２の位置に移動する際に、前記押さえ部と前記原稿台との間を通気する通気部と、
を備えたことを特徴とする画像の読取装置。
【請求項２】
予め設定された読取可能な最大の原稿の大きさよりも広い原稿が支持される面を有する前記原稿台と、
読取可能な最大の大きさの原稿と前記原稿台の面との間の余白部分に対応して形成された前記通気部と、
を備えたことを特徴とする請求項１に記載の画像の読取装置。
【請求項３】
端部に配置された回転軸を中心として、前記第１の位置と前記第２の位置との間で、回転可能に支持された前記移動部材と、
前記回転軸とは反対側の端側に形成された前記通気部と、
を備えたことを特徴とする請求項１または請求項２に記載の画像の読取装置。
【請求項４】
原稿に記録された画像を読み取る請求項１ないし請求項３のいずれかに記載の画像の読取装置と、
前記画像の読取装置により読み取られた前記画像を媒体に記録する画像記録装置と、
を備えたことを特徴とする画像形成装置。
【発明の詳細な説明】
【技術分野】
【０００１】
本発明は、画像の読取装置および画像形成装置に関する。
【背景技術】
【０００２】
透明な原稿台、いわゆる、プラテンガラスに載せた原稿の画像を読み取る画像の読取装置、いわゆる、スキャナについて、以下の特許文献１，２に記載の技術が従来公知である。
【０００３】
特許文献１としての特開２００７−２７６９４９号公報には、画像読取装置（Ｇ）において、装置本体（４）の上面にプラテンガラス（３）が配置され、プラテンガラス（３）に対して開閉可能な原稿押圧板（５）を有する構成が記載されている。プラテンガラス（３）上に載せられた原稿（Ｐ）を読み取る場合、原稿押圧板（５）がプラテンガラス（３）に原稿（Ｐ）を密着させた状態で、原稿画像が読み取られている。
【０００４】
特許文献２としての特開２００７−１０９９０号公報には、画像読取装置（１０）の原稿を押さえる押さえ板（１３）は、原稿台（１１）の端縁に支持されたヒンジ（１２）を介して、開閉可能に支持されている。押さえ板（１３）の下面には、クッション材（２１）およびベースプレート（２０）を介して、押さえ面（１９）が支持された構成が記載されている。
押さえ面（１９）とベースプレート（２０）との間であって、ヒンジ（１２）とは反対側の縁の角には、スペーサ（２２）が挟まれている。スペーサ（２２）は、最大サイズの原稿よりも外側に配置され、押さえ面（１９）の角を原稿台（１１）側に湾曲させる。したがって、押さえ板（１３）が閉じられた状態では、クッション材（２１）により、押さえ面（１９）が原稿を押さえると共に、原稿のスペーサ（２２）側の角と、押さえ面（１９）の角との間に、密閉されない隙間が形成される。
【先行技術文献】
【特許文献】
【０００５】
【特許文献１】２００７−２７６９４９号公報（「００１６」、図１）
【特許文献２】２００７−１０９９０号公報（「００１９」〜「００３０」、図３〜図６）
【発明の概要】
【発明が解決しようとする課題】
【０００６】
本発明は、原稿台から押さえ部を離間させる場合に、押さえ部の破損を低減することを技術的課題とする。
【課題を解決するための手段】
【０００７】
前記技術的課題を解決するために、請求項１に記載の発明の画像の読取装置は、
原稿が支持される原稿台と、
原稿の画像を読み取る読取部材と、
前記原稿台に対向する第１の位置と、前記原稿台から離間した第２の位置と、の間を移動可能な移動部材と、
前記移動部材の前記原稿台側に支持され、前記移動部材が前記第１の位置に移動した場合に、原稿に接触して原稿を押さえる押さえ部と、
前記押さえ部に形成され、前記開閉部材が前記第１の位置から前記第２の位置に移動する際に、前記押さえ部と前記原稿台との間を通気する通気部と、
を備えたことを特徴とする。
【０００８】
請求項２に記載の発明は、請求項１に記載の画像の読取装置において、
予め設定された読取可能な最大の原稿の大きさよりも広い原稿が支持される面を有する前記原稿台と、
読取可能な最大の大きさの原稿と前記原稿台の面との間の余白部分に対応して形成された前記通気部と、
を備えたことを特徴とする。
【０００９】
請求項３に記載の発明は、請求項１または請求項２に記載の画像の読取装置において、
端部に配置された回転軸を中心として、前記第１の位置と前記第２の位置との間で、回転可能に支持された前記移動部材と、
前記回転軸とは反対側の端側に形成された前記通気部と、
を備えたことを特徴とする。
【００１０】
前記技術的課題を解決するために、請求項４に記載の発明の画像形成装置は、
原稿に記録された画像を読み取る請求項１ないし請求項３のいずれかに記載の画像の読取装置と、
前記画像の読取装置により読み取られた前記画像を媒体に記録する画像記録装置と、
を備えたことを特徴とする。
【発明の効果】
【００１１】
請求項１，４に記載の発明によれば、押さえ部に原稿台との間を通気する通気部を有しない構成に比べて、原稿台から押さえ部を離間させる場合に、押さえ部の破損を低減することができる。
請求項２に記載の発明によれば、読み取られた原稿の画像に通気部が写り込むことが防止される。
請求項３に記載の発明によれば、押さえ部の回転軸とは反対側の端側に通気部を形成しない構成に比べて、原稿台から押さえ部を離間させる場合に、押さえ部と原稿台との間を速やかに通気することができる。
【図面の簡単な説明】
【００１２】
【図１】図１は本発明の実施例１の画像形成装置の斜視図である。
【図２】図２は本発明の実施例１の画像形成装置の全体説明図である。
【図３】図３は実施例１の画像形成装置の要部拡大説明図である。
【図４】図４は本発明の実施例１の原稿の搬送装置が第２の位置に移動した状態の説明図である。
【図５】図５は本発明の実施例１の移動部材の要部拡大図であり、図５Ａは、移動部材の下面の要部拡大説明図、図５Ｂは図５ＡのＶＢ−ＶＢ断面説明図である。
【図６】図６は実施例１の移動部材が読取位置に移動した際に押さえ部を上方から見た状態の説明図である。
【図７】図７は実施例１の支持部材の要部説明図である。
【図８】図８は実施例２の移動部材の要部拡大図であり、図８Ａは実施例１の図５Ｂに対応する図であり、実施例２の移動部材の断面説明図、図８Ｂは実施例２の押さえ部の要部説明図である。
【発明を実施するための形態】
【００１３】
次に図面を参照しながら、本発明の実施の形態の具体例である実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１４】
図１は本発明の実施例１の画像形成装置の斜視図である。
図２は本発明の実施例１の画像形成装置の全体説明図である。
図１、図２において、実施例１の画像形成装置の一例としての複写機Ｕは、記録部の一例であって、画像記録装置の一例としてのプリンタ部Ｕ１を有する。プリンタ部Ｕ１の上部には、読取部の一例であって、画像の読取部の一例としてのスキャナ部Ｕ２が支持されている。スキャナ部Ｕ２の上部には、原稿の搬送装置の一例としてのオートフィーダＵ３が支持されている。実施例１のスキャナ部Ｕ２には、入力部の一例としてのユーザインタフェースＵ０が支持されている。前記ユーザインタフェースＵ０は、操作者が入力をして、複写機Ｕの操作が可能である。
【００１５】
スキャナ部Ｕ２の上面には、透明な原稿台の一例としてのプラテンガラスＰＧが配置されている。実施例１のスキャナ部Ｕ２には、プラテンガラスＰＧの下方に、露光光学系Ａが配置されている。実施例１の露光光学系Ａは、プラテンガラスＰＧの下面に沿って、左右方向に移動可能に支持されている。なお、露光光学系Ａは、通常時は、図２に示す基準位置の一例としてのホームポジションに停止している。前記オートフィーダＵ３は、複写しようとする複数の原稿Ｇｉが重ねて収容される原稿の給紙部ＴＧ１と、原稿の給紙部ＴＧ１から給紙され前記プラテンガラスＰＧ上の原稿読取位置を通過して搬送される原稿Ｇｉが排出される原稿排紙部ＴＧ２とを有している。
【００１６】
前記オートフィーダＵ３でプラテンガラスＰＧ上を搬送される原稿Ｇｉまたは手動でプラテンガラスＰＧ上に置かれた原稿Ｇｉからの反射光は、露光光学系Ａを介して、読取部材の一例としての撮像素子ＣＣＤで赤Ｒ、緑Ｇ、青Ｂの電気信号に変換される。
画像の情報変換部ＩＰＳは、撮像素子ＣＣＤから入力されるＲＧＢの電気信号を黒Ｋ、イエローＹ、マゼンタＭ、シアンＣの画像情報に変換して一時的に記憶し、前記画像情報を所定のタイミングで潜像形成用の画像情報として潜像形成装置駆動回路ＤＬに出力する。
なお、原稿画像が単色画像、いわゆる、モノクロの場合は、黒のみの画像情報が潜像形成装置駆動回路ＤＬに入力される。
前記潜像形成装置駆動回路ＤＬは、各色Ｙ，Ｍ，Ｃ，Ｋの図示しない各駆動回路を有し、入力された画像情報に応じた信号を所定の時期に、各色毎に配置された潜像形成装置ＬＨｙ，ＬＨｍ，ＬＨｃ，ＬＨｋに出力する。
【００１７】
図３は実施例１の画像形成装置の要部拡大説明図である。
前記複写機Ｕの重力方向中央部に配置された可視像形成装置Ｕｙ，Ｕｍ，Ｕｃ，Ｕｋはそれぞれ、イエローＹ、マゼンタＭ、シアンＣおよび黒Ｋの各色のトナー像を形成する装置である。
潜像形成装置ＬＨｙ〜ＬＨｋの各レーザダイオードから出射したＹ，Ｍ，Ｃ，Ｋの潜像書込光Ｌｙ，Ｌｍ，Ｌｃ，Ｌｋは、それぞれ、回転する像保持体ＰＲｙ，ＰＲｍ，ＰＲｃ，ＰＲｋに入射する。なお、実施例１では、前記潜像形成装置ＬＨｙ〜ＬＨｋは、いわゆる、ＬＥＤアレイにより構成されている。
前記Ｙの可視像形成装置Ｕｙは、回転する像保持体ＰＲｙ、帯電器ＣＲｙ、潜像形成装置ＬＨｙ、現像装置Ｇｙ、転写器Ｔ１ｙ、像保持体清掃器ＣＬｙを有している。
前記可視像形成装置Ｕｍ，Ｕｃ，Ｕｋはいずれも前記Ｙの可視像形成装置Ｕｙと同様に構成されている。
【００１８】
図２，図３において、前記各像保持体ＰＲｙ，ＰＲｍ，ＰＲｃ，ＰＲｋはそれぞれの帯電器ＣＲｙ，ＣＲｍ，ＣＲｃ，ＣＲｋにより帯電された後、画像書込位置Ｑ１ｙ，Ｑ１ｍ，Ｑ１ｃ，Ｑ１ｋにおいて、前記潜像書込光Ｌｙ，Ｌｍ，Ｌｃ，Ｌｋにより、その表面に静電潜像が形成される。前記像保持体ＰＲｙ，ＰＲｍ，ＰＲｃ，ＰＲｋ表面の静電潜像は、現像領域Ｑ２ｙ，Ｑ２ｍ，Ｑ２ｃ，Ｑ２ｋにおいて、現像器Ｇｙ，Ｇｍ，Ｇｃ，Ｇｋの現像剤保持体の一例としての現像ロールＧＲｙ，ＧＲｍ，ＧＲｃ，ＧＲｋに保持された現像剤により可視像の一例としてのトナー像に現像される。
その現像されたトナー像は、中間転写体の一例としての中間転写ベルトＢに接触する１次転写領域Ｑ３ｙ，Ｑ３ｍ，Ｑ３ｃ，Ｑ３ｋに搬送される。前記１次転写領域Ｑ３ｙ，Ｑ３ｍ，Ｑ３ｃ，Ｑ３ｋにおいて中間転写ベルトＢの裏面側に配置された１次転写器Ｔ１ｙ，Ｔ１ｍ，Ｔ１ｃ，Ｔ１ｋには、制御部Ｃにより制御される電源回路Ｅから所定のタイミングでトナーの帯電極性と逆極性の１次転写電圧が印加される。
前記各像保持体ＰＲｙ〜ＰＲｋ上のトナー像は前記１次転写器Ｔ１ｙ，Ｔ１ｍ，Ｔ１ｃ，Ｔ１ｋにより中間転写ベルトＢに１次転写される。１次転写後の像保持体ＰＲｙ，ＰＲｍ，ＰＲｃ，ＰＲｋ表面の残留トナーは、像保持体清掃器ＣＬｙ，ＣＬｍ，ＣＬｃ，ＣＬｋによりクリーニングされる。クリーニングされた前記像保持体ＰＲｙ，ＰＲｍ，ＰＲｃ，ＰＲｋ表面は、帯電器ＣＲｙ，ＣＲｍ，ＣＲｃ，ＣＲｋにより再帯電される。
【００１９】
前記像保持体ＰＲｙ〜ＰＲｋの上方には、上下移動可能且つ前方に引き出し可能な中間転写装置の一例としてのベルトモジュールＢＭが配置されている。前記ベルトモジュールＢＭは、中間転写体の一例としての中間転写ベルトＢと、中間転写体駆動部材の一例としてのベルト駆動ロールＲｄ、中間転写体張架部材の一例としてのテンションロールＲｔ、蛇行防止用部材の一例としてのウォーキングロールＲｗ、従動部材の一例としてのアイドラロールＲｆおよび２次転写領域対向部材の一例としてのバックアップロールＴ２ａを含む中間転写体支持部材の一例としてのベルト支持ロールＲｄ＋Ｒｔ＋Ｒｗ＋Ｒｆ＋Ｔ２ａと、前記１次転写器Ｔ１ｙ，Ｔ１ｍ，Ｔ１ｃ，Ｔ１ｋとを有している。そして、前記中間転写ベルトＢは前記ベルト支持ロールＲｄ＋Ｒｔ＋Ｒｗ＋Ｒｆ＋Ｔ２ａにより回転移動可能に支持されている。
【００２０】
前記バックアップロールＴ２ａに接する中間転写ベルトＢの表面に対向して２次転写部材の一例としての２次転写ロールＴ２ｂが配置されており、前記各ロールＴ２ａ，Ｔ２ｂにより２次転写器Ｔ２が構成されている。また、２次転写ロールＴ２ｂおよび中間転写ベルトＢの対向する領域には２次転写領域Ｑ４が形成される。
前記１次転写領域Ｑ３ｙ，Ｑ３ｍ，Ｑ３ｃ，Ｑ３ｋで転写器Ｔ１ｙ，Ｔ１ｍ，Ｔ１ｃ，Ｔ１ｋにより中間転写ベルトＢ上に順次重ねて転写された単色または多色のトナー像は、前記２次転写領域Ｑ４に搬送される。
なお、実施例１では、１次転写器Ｔ１ｙ〜Ｔ１ｋ、中間転写ベルトＢ、および、２次転写器Ｔ２等により、実施例１の転写装置Ｔ１＋Ｔ２＋Ｂが構成されており、像保持体ＰＲｙ〜ＰＲｋ、現像装置Ｇｙ〜Ｇｋ、転写装置Ｔ１＋Ｔ２＋Ｂ等により実施例１の画像記録装置ＰＲｙ〜ＰＲｋ＋Ｇｙ〜Ｇｋ＋Ｔ１＋Ｔ２＋Ｂが構成されている。
【００２１】
前記可視像形成装置Ｕｙ〜Ｕｋの下方には、給紙容器の一例としての給紙トレイＴＲ１〜ＴＲ４を前後方向（Ｘ軸方向）に出入可能に支持するガイド部材の一例としての左右一対のガイドレールＧＲ,ＧＲが４段設けられている。給紙トレイＴＲ１〜ＴＲ４に収容された媒体の一例としての記録シートＳは、媒体取り出し部材の一例としてのピックアップロールＲｐにより取り出され、媒体捌き部材の一例としてのさばきロールＲｓにより１枚ずつ分離される。そして、記録シートＳは、媒体搬送路の一例であるシート搬送路ＳＨに沿って媒体の搬送部材の一例としての複数の搬送ロールＲａにより搬送され、２次転写領域Ｑ４のシート搬送方向上流側に配置された転写領域搬送時期調節部材の一例としてのレジロールＲrに送られる。前記シート搬送路ＳＨ、シート搬送ロールＲａ、レジロールＲｒ等によりシート搬送装置ＳＨ＋Ｒａ＋Ｒｒが構成されている。
【００２２】
レジロールＲrは、前記中間転写ベルトＢに形成されたトナー像が２次転写領域Ｑ４に搬送されるのにタイミングを合わせて、前記記録シートＳを２次転写領域Ｑ４に搬送する。記録シートＳが前記２次転写領域Ｑ４を通過する際、前記バックアップロールＴ２ａは接地され、２次転写器Ｔ２ｂには前記制御部Ｃにより制御される電源回路Ｅから所定のタイミングでトナーの帯電極性と逆極性の２次転写電圧が印加される。このとき、前記中間転写ベルトＢ上のカラートナー像は、前記２次転写器Ｔ２により前記記録シートＳに転写される。
２次転写後の前記中間転写ベルトＢは、中間転写体清掃器の一例としてのベルトクリーナＣＬｂによりクリーニングされる。
【００２３】
前記トナー像が２次転写された記録シートＳは、定着装置Ｆの加熱用定着部材の一例としての加熱ロールＦｈおよび加圧用定着部材の一例としての加圧ロールＦｐの圧接領域である定着領域Ｑ５に搬送され、前記定着領域を通過する際に加熱定着される。加熱定着された記録シートＳは、媒体排出部材の一例としての排出ローラＲｈから媒体排出部の一例としての排紙トレイＴＲｈに排出される。
なお、前記加熱ロールＦｈ表面には、記録シートＳの前記加熱ロールからの離型性を良くするための離型剤が離型剤塗布装置Ｆａにより塗布されている。
【００２４】
前記ベルトモジュールＢＭの上方にはイエローＹ，マゼンタＭ，シアンＣ，黒Ｋの各現像剤を収容する現像剤補給容器の一例としての現像剤カートリッジＫｙ，Ｋｍ，Ｋｃ，Ｋｋが配置されている。各現像剤カートリッジＫｙ，Ｋｍ，Ｋｃ，Ｋｋに収容された現像剤は、前記現像器Ｇｙ，Ｇｍ，Ｇｃ，Ｇｋの現像剤の消費に応じて、図示しない現像剤補給路から前記各現像器Ｇｙ，Ｇｍ，Ｇｃ，Ｇｋに補給される。なお、実施例１では、前記現像剤として、磁性のキャリアと、外添剤が付与されたトナーとを含む二成分現像剤により構成されている。
【００２５】
図２において、前記複写機Ｕは上側枠体ＵＦと下側枠体ＬＦとを有しており、上側枠体ＵＦには、前記可視像形成装置Ｕｙ〜Ｕｋおよび可視像形成装置Ｕｙ〜Ｕｋよりも上方に配置された部材、すなわち、ベルトモジュールＢＭ等が支持されている。
また、下側枠体ＬＦには、前記給紙トレイＴＲ１〜ＴＲ４を支持するガイドレールＧＲおよび前記各トレイＴＲ１〜ＴＲ４から給紙を行う前記給紙部材、すなわち、ピックアップロールＲｐ，さばきロールＲｓ，シート搬送ロールＲａ等が支持されている。
【００２６】
（画像の読取部の説明）
図４は本発明の実施例１の原稿の搬送装置が第２の位置に移動した状態の説明図である。
図４において、スキャナ部Ｕ２の上面には、開口の一例としてのガラスの支持口１が形成されている。ガラスの支持口１は、四角形状に形成されている。ガラスの支持口１の左部には、仕切り部の一例としてのガイドの支持部２が設けられている。ガイドの支持部２は、前後方向に延びる板状に形成されている。よって、ガイドの支持部２によりガラスの支持口１は、左端側の前後方向に延びる長方形状の自動の読取口１ａと、予め設定された読取可能な最大サイズの原稿よりも大きな四角形状の右側の手動の読取口１ｂとに仕切られている。
【００２７】
自動の読取口１ａには、自動側の光透過部材の一例としての自動の読取窓３が支持されている。また、手動の読取口１ｂには、手動側の光透過部材の一例としての手動の読取窓４が支持されている。なお、実施例１の読取窓３，４は、透明なガラスで形成されており、読取窓３，４により、前記プラテンガラスＰＧが構成されている。
また、ガイドの支持部２には、原稿の案内部材の一例として、前後方向に延びる原稿のガイド６が支持されている。原稿のガイド６は、左端の高さが自動の読取窓３の上面の高さよりも低く設定され且つ右側に進むに連れて上方に傾斜する形状に形成されている。図２において、プラテンガラスＰＧの下方の空間Ｖには、光を照射する照射系ユニット８、位置の検出部材の一例としてのレジセンサＳｐ、前記露光光学系Ａおよび前記撮像素子ＣＣＤが配置されている。
【００２８】
（原稿の搬送装置の説明）
図５は本発明の実施例１の移動部材の要部拡大図であり、図５Ａは、移動部材の下面の要部拡大説明図、図５Ｂは図５ＡのＶＢ−ＶＢ断面説明図である。
図４、図５において、前記プリンタ部Ｕ１には、上面の後端の位置に、蝶番いわゆるヒンジ２１を介して、前記オートフィーダＵ３が回転軸２１ａを中心に回転可能に支持されている。実施例１では、オートフィーダＵ３は、図２に示す第１の位置の一例としての読取位置と、第２の位置の一例としての図４に示す離間位置との間で、移動可能に構成されている。すなわち、読取位置は、スキャナ部Ｕ２の上面にオートフィーダＵ３の下面が対向する位置が設定されている。また、離間位置は、スキャナ部Ｕ２の上面からオートフィーダＵ３の下面が離間する位置が設定されている。
【００２９】
図２において、オートフィーダＵ３の左部には、搬送路の収容部２２が配置されている。搬送路の収容部２２は、原稿の給紙部ＴＧ１の左端部を支持する。搬送路の収容部２２の内部には、搬送路の一例としての原稿の搬送路２３が形成されている。実施例１の原稿の搬送路２３は、原稿の給紙部ＴＧ１の左端に上流端が接続される。原稿の搬送路２３は、右上方から右下方に向けて延びる略Ｕ字状に形成されている。
図２において、原稿の搬送路２３の原稿の搬送方向の上流端部には、原稿の送り出し部材の一例としてのピックアップロール２４が配置されている。原稿の搬送路２３には、自動の読取窓３に対向する位置に、案内部材の一例としての読取ガイド２６が形成されている。読取ガイド２６は、自動の読取窓３に向けて膨らんだ略円弧状に形成されている。
【００３０】
図４において、読取ガイド２６の原稿の搬送方向上流側と下流側には、排出口２６ａと搬入口２６ｂが形成されている。原稿の搬送路２３の原稿の搬送方向の下流端には、原稿の排出部材の一例としての排出ロール２７が配置されている。原稿の搬送路２３には、原稿の搬送部材の一例としての原稿の搬送ロール２８が複数配置されている。また、原稿の給紙部ＴＧ１の下方には、原稿の排紙部ＴＧ２が配置されている。原稿の排紙部ＴＧ２には、原稿の搬送路２３の下流端が接続されている。
【００３１】
図２、図４において、搬送路の収容部２２の右方には、移動部材の一例であって、覆い部の一例としてのカバー部３２が一体形成されている。カバー部３２は、平板状に形成されている。カバー部３２の上面には、原稿の排紙部ＴＧ２が形成されている。実施例１では、カバー部３２は、図２に示す読取位置と、図４に示す離間位置との間で、移動可能に構成されている。すなわち、読取位置は、スキャナ部Ｕ２のプラテンガラスＰＧに対向する位置が設定されている。また、離間位置は、プラテンガラスＰＧから離間する位置が設定されている。
カバー部３２の下面には、手動の読取窓４と対向する位置に、押さえ部の一例としての反射板４１が貼り付けられている。反射板４１は、平板状に形成されている。実施例１の反射板４１は、手動の読取窓４よりも広く且つカバー部３２よりも狭い面積を有する。
スキャナ部Ｕ２およびオートフィーダＵ３により、実施例１の画像の読取装置Ｕ２＋Ｕ３が構成されている。
【００３２】
（画像の読取装置の機能の説明）
ここで、実施例１のスキャナ部Ｕ２では、オートフィーダＵ３を使用して原稿Ｇｉを搬送しながら読み取る場合、原稿の給紙部ＴＧ１の原稿Ｇｉは、ピックアップロール２７によって原稿の搬送路２３に送り出される。原稿Ｇｉは、原稿の搬送路２３に沿って原稿の搬送ロール２８により搬送される。原稿の搬送路２３を搬送された原稿Ｇｉは、排出口２６ａから自動の読取窓３に排出される。
【００３３】
このとき、照射系ユニット８は、レジセンサＳｐで検出されるホームポジションに保持される。したがって、搬入口２６ｂに搬入された原稿Ｇｉは、自動の読取窓３を通過する部分に、照射系ユニット８から、光が照射される。原稿Ｇｉからの反射光は、露光光学系Ａを介して、撮像素子ＣＣＤで検出される。よって、原稿Ｇｉの画像が読み取られる。そして、自動の読取窓３を通過した原稿Ｇｉは、読取ガイド２６や、原稿のガイド６に案内されて、原稿Ｇｉが搬入口２６ｂから原稿の搬送路２３に再搬入される。搬入口２６ｂに搬入された原稿Ｇｉは、排出ロール２７により原稿排紙部ＴＧ２に排出される。
【００３４】
また、実施例１のスキャナ部Ｕ２では、手動の読取窓４に置かれた原稿Ｇｉを読み取る場合、手動の読取窓４に原稿Ｇｉが置かれた状態で、カバー部３２が閉じられる。よって、原稿Ｇｉは、反射板４１に押された状態で保持される。読み取る動作が開始されると、照射系ユニット８は、ホームポジションから右方に移動する。照射系ユニット８は、右方に移動しながら原稿Ｇｉに、光を照射する。原稿Ｇｉからの反射光は、露光光学系Ａを介して、撮像素子ＣＣＤで検出される。よって、原稿Ｇｉの画像が読み取られる。原稿Ｇｉの画像が読み取られた後、照射系ユニット８は、ホームポジションに移動する。
【００３５】
（押さえ部の説明）
図６は実施例１の移動部材が読取位置に移動した際に押さえ部を上方から見た状態の説明図である。
図４、図６において、反射板４１の前端部には、通気部の一例としての通気孔４２が形成されている。すなわち、実施例１では、オートフィーダＵ３は、後端部が回転軸２１ａを中心に回転可能に支持されており、通気孔４２は、回転軸２１ａとは反対側の前端部に配置されている。
【００３６】
なお、実施例１では、図６に示すように、カバー部３２が読取位置に移動した際に、読取可能な最大の大きさの原稿の一例として、予め設定された読取可能な最大サイズの原稿４６と、手動の読取窓４との間に余白部分４７が設定されている。そして、実施例１の通気孔４２は、余白部分４７に対応する位置に形成されている。
また、実施例１では、通気孔４２は、反射板４１の左右方向中央の位置に、左右方向に沿って３つ並んで形成されている。また、図５Ｂに示すように、通気孔４２は、反射板４１を反射板４１の厚み方向に貫通する孔状に形成されている。
【００３７】
図５Ｂにおいて、反射板４１は、カバー部３２に、支持部材の一例としてのクッション材４８を介して、支持されている。クッション材４８は、弾性部材で構成されており、平板状に形成されている。クッション材４８は、反射板４１に対応する面積を有する。なお、実施例１のクッション材４８は、多孔性の発泡ウレタンにより構成されている。
また、実施例１の反射板４１とクッション材４８とは、従来公知の接着剤を介して、貼り付けられている。なお、実施例１では、反射板４１の外面の外縁に沿って、接着剤が塗布されており、塗布された接着剤を介して、反射板４１とクッション材４８とが貼り合わされている。
【００３８】
図７は実施例１の支持部材の要部説明図である。
図７において、クッション材４８の前端部には、通気孔４２に対応する位置に、通気部の一例としての第２の通気孔４９が形成されている。第２の通気孔４９は、クッション材４８をクッション材４８の厚さ方向に貫通する孔状に形成されている。
クッション材４８の後端部は、接着部材の一例としての両面テープ５１でカバー部３２に貼り付けられている。両面テープ５１は、クッション材４８の左端から右端まで延びている。クッション材４８の前端は、接着部材の一例としての両面テープ５２でカバー部３２に貼り付けられている。両面テープ５１は、接着部の一例として、左右一対のテープ部５２ａ，５２ｂを有する。左のテープ部５２ａは、左端から通気孔４２まで延びている。右のテープ部５２ｂは、右端から通気孔４２まで延びている。すなわち、両面テープ５２は、通気孔４２が設けられた位置を避けて、クッション材４８とカバー部３２の前端部を貼り付けている。
【００３９】
また、クッション材４８の左右両端部は、接着部材の一例としての両面テープ５３，５４でカバー部３２に貼り付けられている。両面テープ５３，５４は、クッション材４８の後端から前端まで延びている。
よって、両面テープ５１〜５４を介して、クッション材４８は、カバー部３２に貼り付けられている。両面テープ５１〜５４の厚みに対応して、カバー部３２とクッション材４８との間に、隙間５６が形成されている。
また、実施例１のオートフィーダＵ３では、隙間５６、通気孔４９および通気孔４２により通気路５７が構成されている。
【００４０】
（実施例１の画像の読取装置の作用）
前記構成を備えた実施例１の複写機Ｕでは、オートフィーダＵ３で原稿Ｇｉを搬送しながら原稿Ｇｉの画像を読み取る場合や、手動の読取窓４に置かれた原稿Ｇｉを読み取る場合、あるいは、複写機Ｕの使用を終了した場合に、カバー部３２が閉じられる。カバー３２が閉じられると、反射板４１が手動の読取窓４に密着する。
特に、手動の読取窓４に原稿Ｇｉが置かれていない状態では、反射板４１と手動の読取窓４の全面が密着する。反射板４１と手動の読取窓４とが、密着した状態では、反射板４１と手動の読取板４との隙間がほとんど無くなり、隙間の空気がほとんど無くなる。
【００４１】
そして、手動の読取窓４に原稿Ｇｉを置く場合や、原稿Ｇｉを取り出す場合、回転軸２１ａを中心として、オートフィーダＵ３が読取位置から離間位置に向けて移動される。このとき、密着した反射板４１と手動の読取窓４とが離間しようとする。
手動の読取窓４に密着した反射板４１を離間させようとした場合、手動の読取窓４と反射板４１との隙間が広がろうとする。ほとんど空気の無い隙間が、密着してほぼ密閉された状態から広がろうとすると、隙間内の圧力が低下して、真空状態に近づく。
【００４２】
ここで、通気孔４２が設けられていない特許文献１記載の構成では、密閉状態で隙間を広げようとしても、隙間内の真空に近い圧力と、外気の大気圧等との圧力差で、プラテンガラス（３）と原稿押圧板（Ｐ）とが接触する方向の力が作用する。したがって、隙間を広げる際に、必要な力が大きくなる。
よって、ＡＤＦ（１）を読取位置から離間位置に移動させる場合、ＡＤＦ（１）自体の重さに加えて、プラテンガラス（３）から密着した原稿押圧板（Ｐ）を離間させる力が必要になる。したがって、作業者がＡＤＦ（１）を移動させる作業時に強い力が必要になってしまう問題があった。
また、特許文献１記載の構成では、ＡＤＦ（１）に原稿押圧板（Ｐ）を貼り付ける両面テープや接着剤が経時的に劣化して、接着力が低下することがある。そして、ＡＤＦ（１）を移動させる作業の際に、プラテンガラス（３）と原稿押圧板（Ｐ）とを離す力が、ＡＤＦ（１）にプラテンガラス（３）を貼り付ける接着力よりも強くなると、ＡＤＦ（１）から原稿押圧板（Ｐ）が剥がれてしまう恐れがあった。
【００４３】
これに対して、実施例１の構成では、反射板４１に通気孔４２が形成されており、手動の読取窓４と反射板４１との隙間が密閉され難く、通気路５７を介して、オートフィーダＵ３の外部と通じ易い。したがって、反射板４１と手動の読取窓４との隙間を広げようとした場合、通気路５７を介して、オートフィーダＵ３の外部から隙間内に空気が自由に流入可能である。よって、隙間の気圧と外気圧との差がほとんど無くなる。
したがって、オートフィーダＵ３を読取位置から離間位置に移動させる場合、手動の読取窓４と反射板４１とが接触する方向の力の作用が低減され、手動の読取窓４から密着した反射板４１を離間させる力が低減される。
【００４４】
よって、実施例１の構成では、通気孔４２が設けられていない構成に比べて、作業者がオートフィーダＵ３を移動させる作業時に必要な力を低減することが可能である。
また、実施例１の構成では、通気孔４２が設けられていない構成に比べて、オートフィーダＵ３を移動させる際に、カバー部３２にクッション材４８を保持する力よりも、手動の読取窓４と反射板４１とを離す力が強くなることが低減される。
よって、実施例１の構成では、通気孔４２が設けられていない構成に比べて、作業者がオートフィーダＵ３を移動させる際に、カバー部３２からクッション材４８が剥がれることが低減される。
【００４５】
実施例１の構成では、オートフィーダＵ３の後端部が回転軸２１ａに回転可能に支持されている。したがって、回転軸２１ａを中心としてオートフィーダＵ３が回転する場合、反射板４１の撓みや、クッション材４８の弾性復元等で、読取窓４から反射板４１が離間させようとした場合、反射板４１の後端部よりも前端部の方が早く離間し易い。
ここで、反射板４１の後端部に通気孔が配置された場合、通気孔の位置の反射板４１が手動の読取窓４から離間し始めるまで、隙間に空気が流入し難い。よって、反射板４１の後端部に通気孔が配置された場合、前端部が離間しようとする際に、反射板４１の前端側が剥がれる恐れがある。
これに対して、実施例１の構成では、反射板４１の前端部に通気孔４２が配置されており、反射板４１が手動の読取窓４から離間し始める際に、隙間に対して、速やかに空気が流入し易い。よって、反射板４１の後側に通気孔が配置された場合に比べて、実施例１では、反射板４１の前端側が剥がれることが低減される。
【００４６】
実施例１の構成では、反射板４１の余白部分４７に対応する位置に、通気孔４２が形成されている。したがって、手動の読取窓４１に原稿Ｇｉが置かれた状態で、オートフィーダＵ３が読取位置に移動した場合、原稿Ｇｉに対して、通気孔４２が重ならずに、ずれた位置に移動する。
ここで、原稿Ｇｉが読取可能な領域の内側に、通気孔が形成された構成では、原稿Ｇｉの画像を読み取る場合、原稿Ｇｉの背面部に通気孔が写り込んでしまう恐れがあった。
これに対して、実施例１の構成では、原稿Ｇｉに対して、通気孔４２がずれた位置に配置されており、読み取られた画像に、通気孔が写り込むことが防止される。
【００４７】
また、特許文献２記載の構成では、スペーサ（２２）を使用して、押さえ面（１９）の角を原稿台（１１）側に湾曲させ、押さえ板（１３）が閉じられた際に、押さえ面（１９）の角と、原稿台（１１）との間に、密閉されない隙間（２３）を形成している。
これに対して、実施例１の構成では、反射板４１およびクッション材４８に、通気孔４２，４９を形成して、手動の読取窓４と反射板４１との隙間に空気を流入させる。
よって、実施例１の構成では、スペーサ（２２）を用いた構成に比べて、部品点数を低減しつつ、オートフィーダＵ３を離間位置に移動させる場合、手動の読取窓４から反射板４１を離間させる力を低減させることが可能である。
【００４８】
また、特許文献２記載の構成では、押さえ面（１９）の角を原稿台（１１）側に湾曲させており、押さえ板（１３）が閉じられる際に、原稿台（１１）に押さえ面（１９）の角が接触する。よって、押さえ板（１３）が閉じられる際の衝撃で、押さえ面（１９）の角が破損する恐れがあった。
これに対して、実施例１の構成では、特許文献２記載の構成のようなスペーサ（２２）が使用されておらず、角が手動の読取窓４側に突き出していない。
よって、実施例１では、原稿の輸送装置Ｕ１を読取位置に移動させる際の衝撃で反射板４１の角が破損することが防止されている。
【実施例２】
【００４９】
次に、本発明の実施例２の説明をするが、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
図８は実施例２の移動部材の要部拡大図であり、図８Ａは実施例１の図５Ｂに対応する図であり、実施例２の移動部材の断面説明図、図８Ｂは実施例２の押さえ部の要部説明図である。
図８において、実施例２では、実施例１と異なり、カバー部３２と、支持部材の一例としてのクッション材４８′との間が接着剤で接着され、且つ、クッション材４８′と、反射板４１との間が接着部材の一例としての両面テープ５１′〜５４′で接着されている。
よって、実施例２の隙間５６′は、実施例１とは異なり、クッション材４８′と反射板４１との間に形成されている。これに伴って、実施例２のクッション材４８′には、通気孔４９が形成されていない。また、実施例２のオートフィーダＵ３では、隙間５６′および通気孔４２により通気路５７′が構成されている。
【００５０】
（実施例２の画像の読取装置の作用）
前記構成を備えた実施例２の複写機Ｕでは、実施例１と同様に、通気路５７′を介して、手動の読取窓４と反射板４１との間が、オートフィーダＵ３の外部と通じている。
よって、実施例２の構成では、反射板４１に通気孔４２が設けられていない従来の構成に比べて、実施例１と同様に、作業者がオートフィーダＵ３を移動させる作業時に必要な力が低減されると共に、カバー部３２からクッション材４８′が剥がれることが低減される。
【００５１】
また、実施例２のクッション材４８′には、通気孔が形成されていない。したがって、クッション材に通気孔が形成された構成に比べて、実施例２の構成では、クッション材４８′の強度が向上し、クッション材４８′の耐久性が向上する。
実施例２の通気路５７′の構成では、クッション材に形成された通気孔が省かれている。したがって、クッション材に形成された通気孔を含む通気路の構成に比べて、クッション材４８′の厚さに応じた長さ分、空気が流れる流路が短くなる。よって、反射板４１と手動の読取窓４との間に空気が円滑に流入することが期待される。
【００５２】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ08）を下記に例示する。
（Ｈ01）前記実施例において、画像形成装置の一例として、スキャナ部Ｕ２を有する複写機Ｕを例示したが、これに限定されない。例えば、ＦＡＸや、複写機、ＦＡＸおよびプリンタのいずれか複数または全ての機能を備えた複合機等の構成も可能である。また、本発明は画像形成装置に限定されない。本発明の構成は、画像の読取装置、いわゆるスキャナに適用することも可能である。
【００５３】
（Ｈ02）前記実施例において、余白部分４７に対応する反射板４１の前端部に、通気部の一例としての通気孔４２を形成する構成を例示したが、これに限定されない。例えば、余白部分４７に対応する反射板４１の左右両端部等、ヒンジ２１の位置やオートフィーダＵ３の開閉構造等、設計や仕様に応じて任意の位置に、通気孔を形成する構成も可能である。
（Ｈ03）前記実施例において、通気部の一例として、丸孔状の通気孔４２を３つ形成する構成を例示したが、これに限定されない。例えば、通気孔の数を２つ以下または４つ以上にしたり、通気孔の形状を長孔状や多角孔状にしたり、切れ込み、すなわち、スリット形状にする等、設計および仕様に応じて通気孔の数や形状を任意に変更可能である。なお、通気部の構成をスリット形状とした場合、スリットの端が反射板４１の外端まで延びる構成とすることも、延びない構成にすることも可能である。
（Ｈ04）前記実施例において、通気部の一例として、反射板４１を貫通する通気孔４２を形成する構成を例示したが、これに限定されない。例えば、反射板の中央部から前端等の外端まで延びる溝を反射板の下面に形成し、オートフィーダＵ３を離間位置に移動させる際に、溝を介して、オートフィーダＵ３の外部から、反射板４１と手動の読取窓４との間に空気を流入させる構成も可能である。また、設計や仕様に応じて、形成される溝の数や形状を任意に変更可能である。
【００５４】
（Ｈ05）前記実施例において、接着部材の一例としての両面テープ５１〜５４を介して、クッション材４８とカバー部３２との間を接着する構成を例示したが、これに限定されない。例えば、両面テープ５１〜５４に代えて、接着剤を介し、接着剤の厚さ分クッション材４８とカバー部３２との間や、反射板４１とクッション材４８との間に、隙間５６を空けた状態で接着する構成も可能である。また、着脱部材の一例としての面ファスナーを介して、着脱可能に支持したり、ボルトやネジを利用して固定する等、設計や仕様に応じて、カバー部３２に対して、クッション材４８を任意の方法で支持することも可能である。また、前記（Ｈ04）で示す底面に溝を形成した反射板を利用する場合、クッション材４８とカバー部３２との間や、反射板４１とクッション材４８との間に隙間を空けずに、反射板４１とクッション材４８、および、クッション材４８とカバー部３２とを任意の方法で固定する構成も可能である。
【００５５】
（Ｈ06）前記実施例において、クッション材４８と反射板４１とを張り付ける構成を例示したが、これに限定されない。例えば、クッション部材４８を省いた構成も可能である。すなわち、カバー部３２に反射板４１を直接支持する構成とすることも可能である。また、クッション部材４８の代わりに、弾力性のある接着剤を利用する構成も可能であり、クッション部材４８および反射板４１の代わりに、弾性部材の一例として、弾性ゴム等で構成された反射板を利用する構成も可能である。
【００５６】
（Ｈ07）前記実施例において、接着部材の一例として、通気孔４９から左右外側に延びるテープ部５２ａ，５２ｂを使用する構成を例示したが、これに限定されない。例えば、クッション材４８上面の通気孔４９よりも後方の位置等、通気孔４９を塞がずに、通気路が確保可能な任意の位置で、貼り付ける構成も可能である。また、接着する領域の長さや幅を変更したり、通気孔４９を除く反射板４１の全面に接着剤を塗布して貼り付ける等、設計や仕様に応じて、任意の接着方法を使用する構成が可能である。
（Ｈ08）前記実施例において、反射板４１の余白部分４７に対応する位置に、通気孔４２を形成する構成が望ましいが、反射板４１の余白部分４７に対応しない位置に、通気孔を形成する構成も可能である。
【符号の説明】
【００５７】
２１ａ…回転軸、３２…移動部材、Ｕ２…画像の読取装置、４１…押さえ部、４２…通気部、４６…読取可能な最大の大きさの原稿、４７…余白部分、ＣＣＤ…読取部材、Ｇｉ…原稿、ＰＧ…原稿台、Ｓ…媒体、Ｕ…画像形成装置、Ｕ１…画像記録装置、Ｕ２＋Ｕ３…画像の読取装置。
【図１】
2014146911.tif 000003
【図２】
2014146911.tif 000004
【図３】
2014146911.tif 000005
【図４】
2014146911.tif 000006
【図５】
2014146911.tif 000007
【図６】
2014146911.tif 000008
【図７】
2014146911.tif 000009
【図８】
2014146911.tif 000010